(57)【要約】      （修正有）【課題】葉切部の負荷軽減によって耐久性を確保可能とする作業車両の提供。【解決手段】作業車両は、圃場面に近接する茎葉の引起こし装置と、この引起こし装置から受けた茎葉を掴んで機体後部に案内しつつ圃場作物を引抜く案内装置５と、この案内装置５の案内過程で収穫作物の茎葉を切断する歯切り部とを設けて構成され、前記案内装置５の入口に圃場作物の茎葉を集束案内するとともに切込みを入れる左右の切断部材２２，２２を設け、前記切断部材２２，２２による切込み箇所を前記案内装置５が保持して前記歯切り部に案内することにより、葉切部の負荷軽減によって耐久性確保を可能とする。【選択図】図２
2019118276.tif 000002
【特許請求の範囲】
【請求項１】
圃場面に近接する茎葉の引起こし装置(４)と、この引起こし装置(４)から受けた茎葉を掴んで機体後部に案内しつつ圃場作物を引抜く案内装置(５)と、この案内装置(５)の案内過程で収穫作物の茎葉を切断する歯切り部とを設けた作業車両において、
前記案内装置(５)の入口に圃場作物の茎葉を集束案内するとともに切込みを入れる左右の切断部材(２２，２２)を設け、前記切断部材(２２，２２)による切込み箇所を前記案内装置(５)が保持して前記歯切り部に案内することを特徴とする作業車両。
【請求項２】
前記案内装置(５)は、茎葉を挟み込むようにして機体後部に案内する左右の案内部材(５ａ，５ａ)を対向して備えるとともに、左右の案内速度に差を設けたことを特徴とする請求項１に記載の作業車両。
【請求項３】
前記案内装置(５)の入口には、先端側を拡開して左右のガイドバー(２１，２１)を支持し、これら左右のガイドバー(２１，２１)の先端側に前記切断部材(２２，２２)を支持し、左右のガイドバー(２１，２１)の少なくとも一方を小径丸棒状の弾性部材によって構成することを特徴とする請求項１または２に記載の作業車両。
【請求項４】
前記左右のガイドバー(２１，２１)の少なくとも一方を機体左右方向に角度調節可能に支持することを特徴とする請求項１から３のいずれかに記載の作業車両。
【請求項５】
前記左右の切断部材(２２，２２)は、高さ違いに構成することを特徴とする請求項１から４のいずれかに記載の作業車両。
【発明の詳細な説明】
【技術分野】
【０００１】
本発明は、圃場作物の茎葉部の案内装置を備えて圃場作物を引抜く作業車両に関する。
【背景技術】
【０００２】
特許文献１に示すように、作物の収穫等の圃場作業を行う際に用いる収穫機等の作業車両には、根作物を引抜き収穫作業の負荷を軽減する作業機がある。この作業機により、圃場作物を引抜き、必要に応じて葉を落とすことで、収穫物の引抜き作業及び葉切作業を簡略化することができる。
【先行技術文献】
【特許文献】
【０００３】
【特許文献１】特開２０１６−１５４４７０号公報
【発明の概要】
【発明が解決しようとする課題】
【０００４】
しかしながら、上記作業機は、葉切部の刃の劣化が激しく、使用頻度が高いと歯切り精度が低下する問題が有った。
【０００５】
本発明の目的は、葉切部の負荷軽減によって耐久性確保を可能とする作業車両を提供することにある。
【課題を解決するための手段】
【０００６】
請求項１に係る発明は、圃場面に近接する茎葉の引起こし装置(４)と、この引起こし装置(４)から受けた茎葉を掴んで機体後部に案内しつつ圃場作物を引抜く案内装置(５)と、この案内装置(５)の案内過程で収穫作物の茎葉を切断する歯切り部とを設けた作業車両において、前記案内装置(５)の入口に圃場作物の茎葉を集束案内するとともに切込みを入れる左右の切断部材(２２，２２)を設け、前記切断部材(２２，２２)による切込み箇所を前記案内装置(５)が保持して前記歯切り部に案内することを特徴とする。
【０００７】
請求項２に係る発明は、請求項１に係る発明において、前記案内装置(５)は、茎葉を挟み込むようにして機体後部に案内する左右の案内部材(５ａ，５ａ)を対向して備えるとともに、左右の案内速度に差を設けたことを特徴とする。
【０００８】
請求項３に係る発明は、請求項１または２に係る発明において、前記案内装置(５)の入口には、先端側を拡開して左右のガイドバー(２１，２１)を支持し、これら左右のガイドバー(２１，２１)の先端側に前記切断部材(２２，２２)を支持し、左右のガイドバー(２１，２１)の少なくとも一方を小径丸棒状の弾性部材によって構成することを特徴とする。
【０００９】
請求項４に係る発明は、請求項１から３のいずれかに係る発明において、前記左右のガイドバー(２１，２１)の少なくとも一方を機体左右方向に角度調節可能に支持することを特徴とする。
【００１０】
請求項５に係る発明は、請求項３または４に係る発明において、前記左右の切断部材(２２，２２)は、高さ違いに構成することを特徴とする。
【発明の効果】
【００１１】
請求項１に係る発明は、歯切り部より先に左右の切断部材(２２，２２)が圃場作物の茎葉部に切込みを入れつつ案内装置(５)に集束案内し、この切込みの部分を案内装置(５)が掴むことで茎葉がちぎれ易くなるので、歯切り部に掛かる負荷を軽減することができる。
【００１２】
請求項２に係る発明は、請求項１に係る発明の効果に加え、案内装置(５)の案内部材(５ａ，５ａ)の左右速度差により、案内過程で効率よく茎葉が引きちぎられるので、歯切り部に掛かる負荷を軽減することができる。
【００１３】
請求項３に係る発明は、請求項１または２に係る発明の効果に加え、左右の切断部材(２２，２２)をそれぞれガイドバー(２１，２１)の先端側の拡開部に支持し、少なくとも一方のガイドバー(２１)を小径の弾性丸棒部材とすることで、切断部材(２２)の振動によって切込み作用の強化とガイドの円滑化が可能となり、また、歯切り部に掛かる過大な負荷を抑えることができる。
【００１４】
請求項４に係る発明は、請求項１から３のいずれかに係る発明の効果に加え、少なくとも一方のガイドバー(２１，２１)の機体左右方向への調節によって様々な大きさの収穫物の茎葉部に切込みを入れれることができる。
【００１５】
請求項５に係る発明は、請求項１から４のいずれかに係る発明の効果に加え、高さ違いの左右の切断部材(２２，２２)によって切り込み高さに違いを設けることで、引抜作業時に茎葉がちぎれて引き抜けないことを防止できるので、引抜き作用を確保しつつ、歯切り部に掛かる負荷を軽減することができる。
【図面の簡単な説明】
【００１６】
【図１】収穫機の斜視図
【図２】案内装置の先端部の斜視図（要部拡大図付帯）
【図３】可動ウェイト装備の収穫機の斜視図（要部拡大図付帯）
【図４】可動式ウェイト装置の斜視図（要部拡大図付帯）
【図５】可動式ウェイト装置１１の伸長時の作業機の斜視図
【発明を実施するための形態】
【００１７】
上記技術思想に基づいて具体的に構成された実施の形態について以下に図面を参照しつつ説明する。なお、説明においては、機体の前進方向を基準に、前後、左右と云う。
【００１８】
本発明に係る作業車両である収穫機１は、その斜視図を図１に示すように、ゲージ輪２と駆動後輪３とによって圃場走行可能に機体を支持し、機体前部で圃場面に近接する茎葉を引き起こす縦横の引起し装置４と、茎葉を案内しつつ引上げる案内装置５と、機体後部の歩行操縦部６等を備える。
【００１９】
（茎葉切断）
案内装置５は、後ろ上がりに傾斜する左右対向の周回ベルトによる案内部材５ａ，５ａによって構成される。これら左右の案内部材５ａ，５ａの先端部分には、その斜視図（要部拡大図付帯）を図２に示すように、作物の茎葉を集束案内する左右対向のガイドバー２１，２１の内側に切断部材２２，２２を固定して茎葉に切込みを入れる。切断部材２２，２２の取付けは、長穴２２ａ，２２ａによって先端のＣカットエッジの出代を調節可能に構成する。
【００２０】
ガイドバー２１，２１は、小径の弾性丸棒材の先端側をそれぞれ外側に曲げて拡開部２１ａ，２１ａを対向形成し、左右の切断部材２２，２２をそれぞれ振動可能に片持ち支持することにより、収穫走行時に左右の切断部材２２，２２が振動して茎葉を迎え撃つように作用しつつ、小径丸棒材によって案内装置５の案内部材５ａ，５ａに円滑に集束案内し、過大な負荷を受けたときは、小径の弾性丸棒材が曲がることで損傷の拡大を抑えることができる。
【００２１】
ガイドバー２１，２１の基部２１ｂ，２１ｂは、所定範囲で角度調節可能な長穴によって左右の案内部材５ａ，５ａに固定し、また、先端は、案内部材５ａ，５ａの先端プーリの下端より高くすることで、大根の収穫傷を防止することができ、また、左右の切断部材２２，２２は上下にずらし、左右の案内部材５ａ，５ａのベルト周回速度に差をつける。
【００２２】
具体的には、タッピングベルトから引抜ベルトに伝動する伝達ケース内で左右の減速比に差を設け、または、先端プーリ（駆動プーリ）の径に差を設けることで、ベルト周回速度に左右差をつけることができ、茎葉にねじ切り作用を及ぼすことができる。
【００２３】
この場合において、左右の切断部材２２，２２が切込みを入れた箇所を左右の案内部材５ａ，５ａがベルトで把持することにより、茎葉をねじ切ることができ、ねじ切られた茎葉は、左右の低速側に飛ばされて排出される。
【００２４】
また、電動ブロワ（不図示）を左右の案内部材５ａ，５ａの左方側に設けて右方に送風することで、ねじ切られた茎葉を畝溝に排出することができる。電動ブロワは、機体中心より前に配置することで、そのウェイト作用により、前側を安定化することができる。
【００２５】
（可動ウェイト）
図３は、可動ウェイト装備の作業機の斜視図（要部拡大図付帯）である。
ゲージ輪２周りについては、機体右側のゲージ輪２のステー２ａに可動式のウェイト装置１１を備え、作業部の浮き上がりを防止して作業の安定化を図るとともに、旋回時の機体押上げ加重を軽減することができる。
【００２６】
ウェイト装置１１は、六角チューブによるステー２ａを支点とする回動プレート１１ｒを設けて回動可能に支持し、回動角度位置に応じてウェイト装置１１の荷重をゲージ輪２に大きく作用することができる。
【００２７】
詳細には、可動式ウェイト装置１１の斜視図（要部拡大図付帯）を図４に示すように、回動プレート１１ｒに支持したパイプ１１ａの先端にウェイト１２を取付け、支点から離れたところにウェイト１２がくることで、大きな作用力を得ることができる。また、回動部は六角チューブを丸型に加工して段付き形状にすることで、回動プレートの位置決めとなり、差込み式で回動プレートを固定する。
【００２８】
ウェイト１２は、強固な箱形状で上面に蓋１２ａを設け、追加ウェイトとして、箱の中に物品を入れ、また、工具箱を兼ねて給油時のウェス等を入れることができる。
【００２９】
上面の蓋１２ａは機体前側に開閉（ウェイト収納時は外側に開閉）することで、作業の邪魔にならず、機体との干渉も避けることができる。また、蓋１２ａをクランプで固定し、工具レス操作のために、クランプは手で開閉できる程度の挟み込み量とする。
【００３０】
ウェイト１２の回動位置は、作業走行時に前荷重として外（前）側に、機体旋回時に後荷重として内（後）側に回動させる。また、ウェイト１２は、後側に回動させたときに、ウェイト横面がスタンドとなり、メンテナンス時の機体の安定化を図ることができる。
【００３１】
回動プレートにワイヤ１３を取付けて引くことでウェイト１２を回動することができる。回動プレートには、引っ張りスプリングを取付け、ゲージ輪ステー２ａと繋ぐことで、ワイヤ１３を引くのをやめると、ウェイト１２が前側に回動して元の位置に戻る。
【００３２】
ワイヤ１３は、ゲージ輪ステー２ａを這わせて右側ハンドル６Ｒに配索する。右側ハンドル６Ｒにワイヤ１３のレバー1３ａを追加し、複数の切り欠きによるポジションプレート１３ｂにレバー1３ａを固定可能に構成することで、後ウェイトのスタンド状態にロックすることができ、主クラッチレバー等の左側ハンドルとの使い分けに適したレイアウトが可能となる。
【００３３】
ウェイト１２を取付けるパイプを伸縮式にすることで、荷重の作用半径を調整可能に構成し、また、パイプ１１ａをボルトとナットで２段構成とし、中のパイプ１１ｂの螺合位置に応じて伸縮可能とし、ベベルギヤを介してハンドル１１ｈを設けて伸縮操作可能に構成する。
【００３４】
ハンドル１１ｈは、ウェイト１２の展開時に前、ウェイト１２の収納時に外に向きを変え、また、可動式ウェイト装置１１の伸長時の作業機の斜視図を図５に示すように、ウェイト１２をスタンドにした場合は、ハンドル１１ｈの操作によってパイプ１１ａを伸縮することでジャッキアップし、容易にタイヤ交換することができる。
【符号の説明】
【００３５】
１      収穫機（作業車両）
４      引起こし装置
５      案内装置
５ａ    案内部材
２１    ガイドバー
２２    切断部材
【図１】
2019118276.tif 000003
【図２】
2019118276.tif 000004
【図３】
2019118276.tif 000005
【図４】
2019118276.tif 000006
【図５】
2019118276.tif 000007